【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ポンプを搭載した本体と、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含み、
上記ポンプから上記押圧カフに上記加圧用の流体を供給して上記被測定部位を圧迫する制御を行う加圧制御部と、
上記センシングカフに収容された上記圧力伝達用の流体の圧力に基づいて血圧を算出する血圧算出部と
を備えたことを特徴とする血圧計。
【請求項２】
請求項１に記載の血圧計において、
上記カフ構造体は、上記押圧カフの外周面に沿って、このカフ構造体の自然状態での形状を、上記被測定部位の周方向に沿って湾曲した状態に保つためのカーラを備えたことを特徴とする血圧計。
【請求項３】
請求項２に記載の血圧計において、
上記カフ構造体の上記一端をなす上記カーラの上記本体側の根元部が、上記本体内に設けられた部材と上記本体の裏蓋との間に挟持され、これにより、上記カフ構造体の上記一端が上記本体に取り付けられていることを特徴とする血圧計。
【請求項４】
請求項１から３までのいずれか一つに記載の血圧計において、
上記カフ構造体の上記一端と反対の側の他端は自由端であることを特徴とする血圧計。
【請求項５】
請求項１から４までのいずれか一つに記載の血圧計において、
上記背板は、上記被測定部位の周方向に関して上記センシングカフの長さを越えて帯状に延在し、
上記背板は、上記被測定部位の周方向に沿って湾曲し得るように、この背板の幅方向に延びる断面Ｖ字状またはＵ字状の溝を、この背板の長手方向に関して互いに離間して複数平行に有することを特徴とする血圧計。
【請求項６】
請求項１から５までのいずれか一つに記載の血圧計において、
上記センシングカフは、上記被測定部位に接する側の第１のシートと、この第１のシートに対向する第２のシートとを含み、上記第１、第２のシートの周縁部が互いに密着されて上記袋状に構成されており、
上記第１または第２のシートのうち、このセンシングカフの幅方向に関して両側の縁部に連なる箇所に、自然状態で、このセンシングカフの長手方向に沿って延在する弛みが設けられていることを特徴とする血圧計。
【請求項７】
請求項１から６までのいずれか一つに記載の血圧計において、
上記本体とともに上記ベルトおよび上記カフ構造体が上記被測定部位に装着された装着状態で、上記ポンプから上記センシングカフに上記圧力伝達用の流体を供給して収容させる制御を行う流体収容制御部を備えたことを特徴とする血圧計。
【請求項８】
請求項７に記載の血圧計において、
上記本体は、
上記ポンプと上記押圧カフとを流体流通可能に接続する第１の流路と、
上記ポンプまたは第１の流路と上記センシングカフとを流体流通可能に接続し、かつ、開閉弁が介挿された第２の流路と
を搭載し、
上記流体収容制御部は、上記装着状態で、上記開閉弁を開状態にして、上記ポンプまたは第１の流路から上記第２の流路を通して上記センシングカフに上記圧力伝達用の流体を供給して収容させ、
上記加圧制御部は、上記センシングカフに上記圧力伝達用の流体が収容された後、上記開閉弁を閉状態にして、上記ポンプから上記第１の流路を通して上記押圧カフに上記加圧用の流体を供給して上記被測定部位を圧迫することを特徴とする血圧計。
【請求項９】
請求項７または８に記載の血圧計において、
上記本体は、上記加圧制御部、上記血圧算出部、および、上記流体収容制御部を搭載していることを特徴とする血圧計。
【請求項１０】
ポンプを搭載した本体と、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含んで、上記被測定部位の血圧を測定する血圧測定方法であって、
上記ポンプから上記押圧カフに上記加圧用の流体を供給して上記被測定部位を圧迫する制御を行い、
上記センシングカフに収容された上記圧力伝達用の流体の圧力に基づいて血圧を算出することを特徴とする血圧測定方法。
【請求項１１】
血圧測定要素を搭載した本体を備えた機器であって、
上記血圧測定要素は、
上記本体に搭載されたポンプと、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含み、
上記ポンプから上記押圧カフに上記加圧用の流体を供給して上記被測定部位を圧迫する制御を行う加圧制御部と、
上記センシングカフに収容された上記圧力伝達用の流体の圧力に基づいて血圧を算出する血圧算出部と
を備えたことを特徴とする機器。
【手続補正２】
【補正対象書類名】明細書
【補正対象項目名】００１０
【補正方法】変更
【補正の内容】
【００１０】
上記課題を解決するため、この発明の血圧計は、
ポンプを搭載した本体と、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含み、
上記ポンプから上記押圧カフに上記加圧用の流体を供給して上記被測定部位を圧迫する制御を行う加圧制御部と、
上記センシングカフに収容された上記圧力伝達用の流体の圧力に基づいて血圧を算出する血圧算出部と
を備えたことを特徴とする。
【手続補正３】
【補正対象書類名】明細書
【補正対象項目名】００１７
【補正方法】変更
【補正の内容】
【００１７】
また、上記カフ構造体は上記ベルトの内周面から離間自在であり、上記ベルトに取り付けられている訳ではないので、上記カフ構造体の長手方向（上記被測定部位の周方向に相当）の寸法が、上記ベルトとは無関係に、最適寸法に設定され得る。
【手続補正４】
【補正対象書類名】明細書
【補正対象項目名】００２６
【補正方法】変更
【補正の内容】
【００２６】
この一実施形態の血圧計では、上記カフ構造体が上記ベルトの内周面から離間自在であるとともに、上記カフ構造体の上記一端と反対の側の他端は自由端であるから、装着の際に、ユーザが、上記ベルトで、上記被測定部位と上記カフ構造体とを一括して取り巻く状態にするとき（装着の第２ステップ）、上記ベルトから上記カフ構造体が内向きの力を受けて、上記被測定部位の外周面に丁度沿うように上記カフ構造体がスライドまたは変形し得る。これにより、装着状態では、上記被測定部位の外周面に対して、上記カフ構造体、上記ベルトがこの順に略密接した状態となる。この結果、血圧を精度良く測定できる。
【手続補正５】
【補正対象書類名】明細書
【補正対象項目名】００３９
【補正方法】変更
【補正の内容】
【００３９】
別の局面では、この発明の血圧測定方法は、
ポンプを搭載した本体と、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含んで、上記被測定部位の血圧を測定する血圧測定方法であって、
上記ポンプから上記押圧カフに上記加圧用の流体を供給して上記被測定部位を圧迫する制御を行い、
上記センシングカフに収容された上記圧力伝達用の流体の圧力に基づいて血圧を算出することを特徴とする。
【手続補正６】
【補正対象書類名】明細書
【補正対象項目名】００４２
【補正方法】変更
【補正の内容】
【００４２】
また、別の局面では、この発明の機器は、
血圧測定要素を搭載した本体を備えた機器であって、
上記血圧測定要素は、
上記本体に搭載されたポンプと、
上記本体から延在し、被測定部位を取り巻いて装着されるべきベルトと、
帯状で、上記ベルトの内周面に対向して配置され、上記ベルトの内周面から離間自在な態様で上記本体に一端が取り付けられたカフ構造体とを備え、
上記カフ構造体は、
加圧用の流体の供給を受けて上記被測定部位を圧迫するために、上記被測定部位の周方向に沿って延在する袋状の押圧カフと、
圧力伝達用の流体を収容可能に袋状に構成され、上記押圧カフの内周面に沿って配置され、かつ、上記被測定部位の動脈通過部分を横切るように上記周方向に延在するセンシングカフと、
上記押圧カフと上記センシングカフとの間に介挿され上記被測定部位の周方向に沿って延在し、上記押圧カフからの押圧力を上記センシングカフへ伝える背板と
を含み、
上記ポンプから上記押圧カフに上記加圧用の流体を供給して上記被測定部位を圧迫する制御を行う加圧制御部と、
上記センシングカフに収容された上記圧力伝達用の流体の圧力に基づいて血圧を算出する血圧算出部と
を備えたことを特徴とする。